(57)【特許請求の範囲】
【請求項１】
加熱部を有するグリル庫と前記グリル庫からの排気を誘導する排気筒と前記グリル庫上方に位置し、前記排気筒からの排気を行う排気口を有する天板部と前記グリル庫を支持する外郭と本体内部を冷却する冷却ファンを備え、前記グリル庫からの煙が後方の壁に当たらないようにするべく前記排気口後方及び左右の前記天板部に孔を設けかつ、前記冷却ファンの動作により前記孔から吹き出す風の量を増加させてなる加熱調理器。
【請求項２】
排気口後方の天板部の孔の上方に前方が開放された庇形状を設けてなる請求項第１に記載の加熱調理器。
【発明の詳細な説明】
【０００１】
【発明の属する技術分野】
本発明は、加熱調理器のグリル庫からの排気構成に関するものである。
【０００２】
【従来の技術】
従来の加熱調理器のグリル庫からの排気構成を図１８、図１９において説明する。１は魚焼き調理等を行うグリル庫、２はグリル庫１からの排気を行う排気筒でグリル庫１後方に連結されている。３はグリル庫上方に位置している天板部、４は排気筒２により誘導された排気を外部へ導き出す排気口、５はグリル庫１を支持する外郭である。６は本体を組み込むキッチン、７は本体及びキッチン６後方に位置する壁である。
【０００３】
【発明が解決しようとする課題】
しかしながら、前記従来の構成では、グリル庫１から発生する煙は、排気筒２を通過し排気口４から出ていく際、グリル庫１前方から後方へという排気の勢いや、また外部へ出てからの空気の流れ等によって、後方に向かっての上昇気流を形成し壁７に煙が当たっていた。壁７に煙が当たることにより、煙の汚れが壁７にこびりついたり、また壁７の温度が低い場合には結露して滴が垂れ落ちてきたりするという問題点が考えられていた。
【０００４】
本発明は、上記従来の課題を解決するもので、排気口から排気される煙を後方ではなく、上方あるいは前方に導くことにより壁への接触を防止して、お手入れの簡単な快適で清潔なキッチンにする機器を提供することを目的とする。
【０００５】
【課題を解決するための手段】
前記従来の課題を解決するために、本発明は、グリル庫からの排気を行う排気口後方及び左右の天板部に孔を設けることにより、孔から上方への上昇気流が生じるようにし、排気口からの排気流が後方へ流れることを防止する。
【０００６】
【発明の実施の形態】
請求項１に記載の発明は、加熱部を有するグリル庫とグリル庫からの排気を誘導する排気筒とグリル庫上方に位置し、排気筒からの排気を行う排気口を有する天板部とグリル庫を支持する外郭と本体内部を冷却する冷却ファンを備え、前記グリル庫からの煙が後方の壁に当たらないようにするべく前記排気口後方及び左右の前記天板部に孔を設けかつ、冷却ファンの動作により、穴から吹き出す風の量を増加させてなることにより、孔からの上昇気流がさらに強く、また多くなるなり、グリル庫からの煙が後方の壁に当たる量をさらに少なくすることができる。
【０００７】
請求項２に記載の発明は、特に、請求項１記載の排気口後方の天板部の孔の上方に前方が開放された庇形状を設けることにより、孔からの強力な上昇気流で風が前方に吹き出しグリル庫からの煙が後方の壁にさらに当りにくくし、水が上方から入りにくくするので、キッチンの壁が汚れないまた、水が機器内に浸入しにくい加熱調理器を提供することができる。
【０００８】
【実施例】
以下、本発明の実施例について、図１〜１７を参照にしながら説明する。
【０００９】
（実施例１）
図１、図２は、本発明の第１の実施例における加熱調理器の斜視図、断面図を示すものである。
図１、図２において１１は魚焼き調理等を行うグリル庫、１２はグリル庫１１からの排気を行う排気筒でグリル庫１１後方に連結されている。１３はグリル庫上方に位置している天板部、１４は排気筒１２により誘導された排気を外部へ導き出す排気口、１５はグリル庫１１を直接あるいは間接的に支持する外郭、１６は排気口１４後方と外郭１５の間の天板部に設けられた孔であり、１７は本体を組み込むキッチン、１８は本体及びキッチン１７後方に位置する壁である。
【００１０】
次に、この第１の実施例における作用を説明する。
【００１１】
グリル庫１１で魚焼き等の調理をするときを考える。グリル庫１１から発生する煙は、排気筒１２を通過して排気口１４から出ていく。その際、煙はグリル庫１１前方から後方へという排気の勢いや、また外部へ出てからの空気の流れ等によって、後方に向かっての上昇気流を形成してしまう。ところが、排気口１４後方には孔１６があり、本体内部において排気筒１２と外郭１５の間の空間を通ってくるグリル庫１１からの煙以外の排気が排気筒１２で温められ上昇気流となり、孔１６から上方への汚れのない風が上昇気流として出てくる。そうなることにより、排気口１４からの後方に向かっての煙は、上方へあるいは前方へと進路を変え、本体及びキッチン１７後方に位置する壁１８に当たらなくなる。よって、壁１８には煙による汚れや、結露による滴の垂れ落ちが発生することはなくなるため、キッチンを汚さない加熱調理器を提供することができる。
【００１２】
（実施例２）
図３、図４、図５は、本発明の第２の実施例における加熱調理器の内部の斜視図、詳細斜視図、断面図を示すものである。
図３、図４、図５において２１は魚焼き調理等を行うグリル庫、２２はグリル庫２１からの排気を行う排気筒でグリル庫２１後方に連結されている。２３はグリル庫上方に位置している天板部、２４は排気筒２２により誘導された排気を外部へ導き出す排気口、２５はグリル庫２１を支持する外郭、２６は排気口２４後方と外郭２５の間の天板部に設けられた孔、２７は本体内部の電子部品等を冷却する冷却ファンでありグリル庫２１の側面に位置している。２８は冷却ファン２７からの冷却風を孔２６の下方まで誘導しているガイドである。２９は本体を組み込むキッチン、３０は本体及びキッチン２９後方に位置する壁である。
【００１３】
次に、この第２の実施例における作用を説明する。
【００１４】
グリル庫２１で魚焼き等の調理をするときを考える。グリル庫２１から発生する煙は、排気筒２２を通過して排気口２４から出ていく。その際、煙はグリル庫２１前方から後方へという排気の勢いや、また外部へ出てからの空気の流れ等によって、後方に向かっての上昇気流を形成してしまう。ところが、排気口２４後方には孔２６があり、この孔２６には、本体内部において排気筒２２と外郭２５の間に形成された冷却ファン２７から連結されたガイド２８によってつながっており、冷却ファン２７からの冷却風が直接上方への強力な上昇気流として吹き上がってくる。そうなることにより、排気口２４からの後方に向かっての煙は、上方あるいは前方へと進路を変え、本体及びキッチン２９後方に位置する壁３０に当たらなくなる。よって、壁３０には煙による汚れや、結露による滴の垂れ落ちが発生することはなくなるため、キッチンの壁を汚さない快適な加熱調理器を提供することができる。
【００１５】
また、実施例２では、ガイド２８を孔２６のすぐ下までつなげているが、排気筒２２の近傍まででも同様の効果は得られる。
【００１６】
また、ファンによる冷却風が排気筒２２の後方付近まできている場合には、外郭の温度や排気の温度を低下できるという効果もある。
【００１７】
また、ガイド２８を設けなくても、排気圧力をあるいは他の構成で冷却ファンを動作させれば孔１６付近の気圧を上げるようにすれば、孔１６からの風の強さや量を増加させられるので、上記の効果を得ることができる。
【００１８】
（実施例３）
図６、図７、図８は、本発明の第３の実施例における加熱調理器の内部の斜視図、詳細斜視図、断面図を示すものである。
図６、図７、図８において３１は魚焼き調理等を行うグリル庫、３２はグリル庫３１からの排気を行う排気筒でグリル庫３１後方に連結され、かつ二重の構造になっている（排気筒３２の外周部の空間は、グリル庫３１の内部とはつながっていない。）。３３はグリル庫上方に位置している天板部、３４は排気筒３２により誘導された排気を外部へ導き出す排気口、３５はグリル庫３１を収納する外郭、３６は、排気口３４後方と外郭３５の間の天板部に設けられた孔であり、排気筒３２の外周を構成する空間と孔３６は連結されている。３７は本体を組み込むキッチン、３８は本体及びキッチン３７後方に位置する壁である。
【００１９】
次に、この第３の実施例における作用を説明する。
【００２０】
グリル庫３１で魚焼き等の調理をするときを考える。グリル庫３１から発生する煙は、排気筒３２の内側の筒を通過して排気口３４から出ていく。その際、煙はグリル庫３１前方から後方へという排気の勢いや、また外部へ出てからの空気の流れ等によって、後方に向かっての上昇気流を形成してしまう。ところが、排気口３４後方には孔３６があり、かつ排気筒３２の外周を構成する空間がこの孔３６と連結されているため、その空間内の空気が排気筒の熱を奪い、膨張し軽くなって孔３６からの排気風が直接上方への強力な上昇気流として吹き上がってくる。そうなることにより、排気口３４からの後方に向かっての煙は、上方あるいは前方へと進路を変え、本体及びキッチン３７後方に位置する壁３８に当たらなくなる。よって、壁３８には煙による汚れや、結露による滴の垂れ落ちが発生することはなくなるため、キッチンの壁を汚すことのない加熱調理器を提供することができる。また、冷却風が排気筒３２の外周部を包み込むため、外郭の温度や排気の温度を低下できるという効果もある。
【００２１】
また、排気筒３２の外周を構成する通気路には、適宜吸気口を設け自然の対流風や冷却ファンからの風を流し込むこともできる。
【００２２】
なお、上記実施例は排気筒の周囲を取り囲むように孔３６に連結される通気路を設けたが、周囲の一部に接するように孔３６に連結される通気路を設けても同様の効果が得られる。
【００２３】
（実施例４）
図９、図１０、図１１は、本発明の第４の実施例における加熱調理器の内部の斜視図、詳細斜視図、断面図を示すものである。
図９、図１０、図１１において４１は魚焼き調理等を行うグリル庫、４２はグリル庫４１からの排気を行う排気筒でグリル庫４１後方に連結されている。４３はグリル庫上方に位置している天板部、４４は排気筒４２により誘導された排気を外部へ導き出す排気口、４５はグリル庫４１を支持する外郭、４６は排気口４４後方と外郭４５の間の天板部に設けられた孔、４７は排気筒４２内部に取りつけられた除煙ファンでグリル庫４１内の熱を強制排気している。４８は除煙ファン４７の排気筒４２の外部の軸に設けられたファンで、除煙ファン４７と同期して動作する。４９は本体を組み込むキッチン、５０は本体及びキッチン４９後方に位置する壁である。
【００２４】
次に、この第４の実施例における作用を説明する。
【００２５】
グリル庫４１で魚焼き等の調理をするときを考える。グリル庫４１から発生する煙は、排気筒４２を通過して除煙ファン４７により、排気口４４から強制排気される。その際、煙はグリル庫４１前方から後方へという強制排気の勢いや、また外部へ出てからの空気の流れ等によって、後方に向かっての上昇気流を形成してしまう。ところが、排気口４４後方には孔４６があり、この孔２６からは本体内部において除煙ファン４７と同期して動作するファン４８により、排気筒４２後方と外郭４５の間の空間で、起こされた上方への強力な上昇気流が吹き上がってくる。そうなることにより、排気口４４からの後方に向かっての煙は、上方へと進路を変え、本体及びキッチン４９後方に位置する壁５０に当たらなくなる。よって、壁５０には煙による汚れや、結露による滴の垂れ落ちが発生することはなくなるため、お手入れの簡単な快適で清潔なキッチンとなる機器を提供することができる。
【００２６】
（実施例５）
図１２、図１３、図１４は、本発明の第５の実施例における加熱調理器の斜視図、詳細斜視図、断面図を示すものである。
図１２、図１３、図１４において５１は魚焼き調理等を行うグリル庫、５２はグリル庫５１からの排気を行う排気筒でグリル庫５１後方に連結されている。５３はグリル庫上方に位置している天板部、５４は排気筒５２により誘導された排気を外部へ導き出す排気口、５５はグリル庫５１を支持する外郭、５６は排気口５４後方と外郭５５の間の天板部に設けられた孔であり、５７は排気口５４の左右に設けられた孔Ａ、５８は本体内部の電子部品を冷却する冷却ファン、５９は冷却用の吸気を行う吸気口で排気口５４の右側に位置している。６０は本体を組み込むキッチン、６１は本体及びキッチン６０後方に位置する壁である。
【００２７】
次に、この第５の実施例における作用を説明する。
【００２８】
グリル庫５１で魚焼き等の調理をするときを考える。グリル庫５１から発生する煙は、排気筒５２を通過して排気口５４から出ていく。その際、煙はグリル庫５１前方から後方へという排気の勢いや、また外部へ出てからの空気の流れ等によって、後方に向かっての上昇気流を形成してしまう。ところが、排気口５４後方には孔５６があり、本体内部において排気筒５２と外郭５５の間の空間を通ってくるグリル庫５１からの煙以外の排気が上昇気流となり、孔５６から上方への上昇気流として出てくる。そうなることにより、排気口５４からの後方に向かっての煙は、上方へと進路を変え、本体及びキッチン６０後方に位置する壁６１に当たらなくなる。よって、壁６１には煙による汚れや、結露による滴の垂れ落ちが発生することはなくなる。
【００２９】
また、本体内部の冷却のために吸気を行う吸気口５９があるため、排気口５４からふわりと出てくる煙は、吸気口５９に吸い込まれてしまい、本体内部に油がこびりついたり、本体内部が異臭を伴ったりしていた。ところが、排気口５４の左右両側には孔Ａ５８があるため、そこからも上方への上昇気流が吹き上がるため、吸気口５９へ吸い込まれる煙を大幅に軽減することができる。
【００３０】
以上のように、本実施例では排気口５４の後方および左右に孔を設けてなるので、調理人側以外のキッチンの壁を汚すことのない、また機器内部が煙で汚れにくい加熱調理器を提供することができる。
【００３１】
当然のことながら、請求項２〜４の内容（冷却ファンの冷却風の利用や除煙ファンの利用等）についも同様の効果が得られる。
【００３２】
また、実施例５では排気口５４の左右両側の位置に孔Ａ５８を設けているが、吸気口５９の位置や設置されたキッチンの壁の位置などにより、右側だけでも、また左側だけでも上記と同様の効果を得ることができる。
【００３３】
（実施例６）
図１５、図１６、図１７は、本発明の第６の実施例における加熱調理器の斜視図、詳細斜視図、断面図をそれぞれ示すものである。
【００３４】
図１５、図１６、図１７において７１は魚焼き調理等を行うグリル庫、７２はグリル庫７１からの排気を行う排気筒でグリル庫７１後方に連結されている。７３はグリル庫上方に位置している天板部、７４は排気筒７２により誘導された排気を外部へ導き出す排気口、７５はグリル庫７１を支持する外郭、７６は、排気口７４後方と外郭７５の間の天板部に設けられた孔であり、前方に開放された庇形状７７を有する。７８は本体を組み込むキッチン、７９は本体及びキッチン７８後方に位置する壁である。
【００３５】
次に、この第６の実施例における作用を説明する。
【００３６】
グリル庫７１で魚焼き等の調理をするときを考える。グリル庫７１から発生する煙は、排気筒７２を通過して排気口７４から出ていく。その際、煙はグリル庫７１前方から後方へという排気の勢いや、また外部へ出てからの空気の流れ等によって、後方に向かっての上昇気流を形成してしまう。ところが、排気口５４後方には前方に開放された庇形状７７を有する孔７６があり、本体内部において排気筒７２と外郭７５の間の空間を通ってくるグリル庫７１からの煙以外の排気が上昇気流となり、孔７６から上方または前方への上昇気流として出てくる。そうなることにより、排気口７４からの後方に向かっての煙は、上方または前方へと進路を変え、本体及びキッチン７８後方に位置する壁７９に当たらなくなる。よって、壁７９には煙による汚れや、結露による滴の垂れ落ちが発生することはなくなる。また、孔７６には庇形状７７があるために、例えば上方から水が落ちてきたりしたとしても、庇形状７７に当たって孔７６の中（本体内）に水が入りにくくすることもできる。
【００３７】
以上のように、本実施例の構成とすることで、キッチンの壁を汚さないようにするとともに、筐体内に水が入り故障することのない、快適な加熱調理器を提供することができる。
【００３８】
当然のことながら、請求項２〜５の内容（冷却ファンの冷却風の利用や除煙ファンの利用等）についても同様の効果が得られる。
【００３９】
【発明の効果】
以上のように、請求項１または２記載の発明によれば、グリル庫からの煙が後方の壁に当たらないようにして、壁への汚れのこびりつきや結露による滴の垂れ落ちをなくし、キッチンの壁の手入れの必要のない快適な加熱調理器を提供することができる。
【図面の簡単な説明】
【図１】本発明の実施例１における加熱調理器の斜視図
【図２】本発明の実施例１における加熱調理器の断面図
【図３】本発明の実施例２における加熱調理器の斜視図
【図４】本発明の実施例２における加熱調理器の詳細斜視図
【図５】本発明の実施例２における加熱調理器の断面図
【図６】本発明の実施例３における加熱調理器の斜視図
【図７】本発明の実施３示におけるす加熱調理器の詳細斜視図
【図８】本発明の実施例３における加熱調理器の断面図
【図９】本発明の実施例４における加熱調理器の斜視図
【図１０】本発明の実施例４における加熱調理器の詳細斜視図
【図１１】本発明の実施例４における加熱調理器の断面図
【図１２】本発明の実施例５における加熱調理器の斜視図
【図１３】本発明の実施例５における加熱調理器の断面図
【図１４】本発明の実施例５における加熱調理器の詳細斜視図
【図１５】本発明の実施例６における加熱調理器の斜視図
【図１６】本発明の実施例６における加熱調理器の詳細斜視図
【図１７】本発明の実施例６における加熱調理器の断面図
【図１８】従来の加熱調理器の斜視図
【図１９】従来の加熱調理器の断面図
【符号の説明】
１１、２１、３１、４１、５１、７１  グリル庫
１２、２２、３２、４２、５２、７２  排気筒
１３、２３、３３、４３、５３、７３  天板部
１４、２４、３４、４４、５４、７４  排気口
１５、２５、３５、４５、５５、７５  外郭
１６、２６、３６、４６、５６、７６  孔
１７、２９、３７、４９、６０、７８  キッチン
１８、３０、３８、５０、６１、７９  壁
２７、５８  冷却ファン
２８  ガイド
４７  除煙ファン
４８  ファン
５７  孔Ａ
５９  吸気口
７７  庇形状
【図１】
0003587149.tif 000002
【図２】
0003587149.tif 000003
【図３】
0003587149.tif 000004
【図４】
0003587149.tif 000005
【図５】
0003587149.tif 000006
【図６】
0003587149.tif 000007
【図７】
0003587149.tif 000008
【図８】
0003587149.tif 000009
【図９】
0003587149.tif 000010
【図１０】
0003587149.tif 000011
【図１１】
0003587149.tif 000012
【図１２】
0003587149.tif 000013
【図１３】
0003587149.tif 000014
【図１４】
0003587149.tif 000015
【図１５】
0003587149.tif 000016
【図１６】
0003587149.tif 000017
【図１７】
0003587149.tif 000018
【図１８】
0003587149.tif 000019
【図１９】
0003587149.tif 000020